(57)【要約】【課題】制光プレートを備えた制光体の各部の明るさを均一化できる照明器具を提供することにある。【解決手段】互いに平行なバルブ部分（発光部）２５ｂ、２５ｄを有した片口金形蛍光ランプ２５を器具本体１１に取付け、この本体１１にランプ２５を覆って制光体２８を配置する。制光体２８は、ランプ２５の長手方向に沿って延びる２枚の制光プレート３６，３７を有する。これら２枚の制光プレート３６，３７を互いに逆向きに傾けて、これら２枚の制光プレート３６，３７のランプ２５に近い側の上縁ｆｕ相互の間隔Ａを、ランプ２５から遠い側の下縁ｆｄ相互の間隔Ｂより短くする。これにより、両制光プレート３６，３７の互いの対向側面３６ａ、３７ａだけではなく、非対向側面３６ｂ、３７ｂにも一対の発光部２５ｂ、２５ｄからの直射光が入射されるようにしたことを特徴としている。【選択図】    図３
2004259548.tif 000002
【特許請求の範囲】
【請求項１】
器具本体と、
互いに平行な発光部を複数有して前記器具本体に取付けられた発光手段と、
前記発光部の長手方向に沿って延びる制光プレートを少なくとも２枚有して前記発光手段を覆って前記器具本体に取付けられ、前記発光部に最も近い位置で互いに隣接した２枚の前記制光プレートが、互いの対向側面及び非対向側面の夫々に前記発光部の直射光が入射されるように互いに逆向きに傾けられている制光体と、
を具備したことを特徴とする照明器具。
【請求項２】
器具本体と、
この器具本体に取付けられた片口金形蛍光ランプと、
このランプの長手方向に沿って延びる制光プレートを少なくとも２枚有して前記ランプを覆って前記器具本体に取付けられ、前記ランプに最も近い位置で互いに隣接した２枚の前記制光プレートが、互いに逆向きに傾けられていて、これら２枚の制光プレートの前記ランプに近い側の縁相互の間隔が、前記制光プレートの前記ランプから遠い側の縁相互の間隔より短くなっている制光体と、
を具備したことを特徴とする照明器具。
【請求項３】
前記２枚の制光プレートの傾きに沿う延長線上に前記発光手段又は前記ランプが有するバルブ中心が略位置するように前記２枚の制光プレートが傾けられていることを特徴とする請求項１又は２に記載の照明器具。
【発明の詳細な説明】
【０００１】
【発明の属する技術分野】本発明は、例えばシステム天井等に配置される照明器具に係り、特に、発光手段をなすランプの長手方向に沿って延びる少なくとも２枚の制光プレートを有した制光体を備える照明器具に関する。
【０００２】
【従来の技術】従来、器具本体に取付けられた直管形蛍光ランプを覆って配置された制光体が、ランプの長手方向に沿って延びる複数の制光プレートを備えているものがある（例えば特許文献１参照。）。
【０００３】
この特許文献１の照明器具が備えた制光体の各制光プレートは、互いのプレートの並設間隔を変化させて、これら間隔が異なる各制光プレートの区画変化によりグラデーション模様を制光体に与えるように設けられている。しかし、いずれの制光プレートも垂直な状態で互いに平行に並設されている。
【０００４】
【特許文献１】
特開平８−４５３２０号公報（段落０００９−００１３、図１−図４）
【０００５】
【発明が解決しようとする課題】特許文献１の照明器具で、直管形蛍光ランプの直射光は、このランプに最も近い位置でかつランプの長手方向に沿って延びるように配置された互いに平行な２枚の垂直な制光プレートに対して以下のように及ぶ。これら２枚の制光プレートの相対向する一側面の夫々には蛍光ランプの直射光が射し込むので、これらの対向側面は明るい。これに対して、前記２枚の制光プレートの非対向となっている他側面には蛍光ランプの直射光が射し込まないので、これらの非対向側面は暗くなる。このため、制光体の各部の明るさが不均一となる。この現象は、制光体を蛍光ランプにより近づけて器具の薄型化を図るほど顕著に表れる。
【０００６】
本発明が解決しようとする課題は、制光プレートを備えた制光体の各部の明るさを均一化できる照明器具を提供することにある。
【０００７】
【課題を解決するための手段】前記課題を解決するために、請求項１の発明は、器具本体と、互いに平行な発光部を複数有して前記器具本体に取付けられた発光手段と、前記発光部の長手方向に沿って延びる制光プレートを少なくとも２枚有して前記発光手段を覆って前記器具本体に取付けられ、前記発光部に最も近い位置で互いに隣接した２枚の前記制光プレートが、互いの対向側面及び非対向側面の夫々に前記発光部の直射光が入射されるように互いに逆向きに傾けられている制光体と、を具備したことを特徴としている。
【０００８】
この請求項１の発明で、発光手段には、片口金形蛍光ランプを好適に使用できるが、これに代えて直管形蛍光ランプを用いることができる。片口金形蛍光ランプを用いる場合には、その口金からＵ字形バルブの折返し端までの夫々の部分が互いに平行な発光部として機能するものである。直管形蛍光ランプを用いる場合には、互いに平行に並設された複数本例えば２本の直管形蛍光ランプを発光手段として用い、これら一方及び他方の直管形蛍光ランプが夫々発光部として機能するものである。又、請求項１の発明で、発光部の長手方向とは、発光手段が片口金形蛍光ランプの場合には、口金とＵ字形バルブの折返し端とを結ぶ方向を指し、発光手段が直管形蛍光ランプの場合には、直管形バルブの軸方向を指している。又、請求項１の発明で、発光部の長手方向に延びる制光プレートは２枚のみであってもよく、更に、制光体は、発光部の長手方向に延びる制光プレートと交差する他の制光プレートを備えていてもよい。
【０００９】
請求項１の発明では、発光手段が有する複数の発光部に最も近い位置で互いに隣接して発光部の長手方向に沿って延びている２枚の制光プレートは、互いに逆向きに傾けられている。このため、これら２枚の制光プレートの相対向する面の夫々には、この面に対して斜め上方向位置の発光部からの直射光が差し込み、前記２枚の制光プレートの非対向側面の夫々には、これら制光プレートのほぼ真上に位置する発光部からの直射光が差し込む。これにより、前記２枚の制光プレートの両側面を共に明るくできる。
【００１０】
請求項２の発明は、器具本体と、この器具本体に取付けられた片口金形ランプと、このランプの長手方向に沿って延びる制光プレートを少なくとも２枚有して前記ランプを覆って前記器具本体に取付けられ、前記ランプに最も近い位置で互いに隣接した２枚の前記制光プレートが、互いに逆向きに傾けられていて、これら２枚の制光プレートの前記ランプに近い側の縁相互の間隔が、前記制光プレートの前記ランプから遠い側の縁相互の間隔より短くなっている制光体と、を具備したことを特徴としている。
【００１１】
この請求項２の発明でも、片口金形傾向ランプが有する互いに平行な発光部に最も近い位置で互いに隣接してランプの長手方向に沿って延びている２枚の制光プレートは、互いに逆向きに傾けられている。このため、これら２枚の制光プレートの相対向する面の夫々には、この面に対して斜め上方向位置の発光部からの直射光が差し込み、前記２枚の制光プレートの非対向側面の夫々には、これら制光プレートのほぼ真上に位置する発光部からの直射光が差し込む。これにより、前記２枚の制光プレートの両側面を共に明るくできる。
【００１２】
請求項３の発明は、前記２枚の制光プレートの傾きに沿う延長線上に前記発光手段又は前記ランプが有するバルブ中心が略位置するように前記２枚の制光プレートが傾けられていることを特徴としている。
【００１３】
この発明では、発光部の長手方向と直交する方向の器具の断面において、発光部に最も近い位置で互いに隣接して発光部の長手方向に沿って延びている２枚の制光プレートを、略ハの字に配置できる。このため、これら２枚の制光プレートの両側面に夫々異なる発光部からの直射光を差し込ませることができる。
【００１４】
【発明の実施の形態】以下、図１〜図４を参照して本発明の第１実施形態を説明する。
【００１５】
図１（Ａ）中符号１で示すシステム天井は、格子状に組まれた周り縁２、３と、これら周り縁２、３で区画された方形スペースにこのスペースを塞ぐように取付けられた複数の照明器具４（一つのみ図示）と、同じく他の方形スペースにこのスペースを塞いで取付けられた天井パネル５とを備えている。回り縁２、３にはＴバーと通称されている縁材が使用されている。このＴバーは、図３に例示した周り縁２で代表するように断面形状において上下に延びる主部６と、この主部６の下端から両側に夫々張り出した一対の受け部７とを有している。Ｔバーの主部６に、天井裏に設置されて図３に２点鎖線で一つのみ代表して示すハンガー８が連結されることによって、Ｔバーは天井に吊持されている。
【００１６】
以下、照明器具４について説明する。この照明器具４は、図１（Ａ）（Ｂ）及び図２（Ａ）（Ｂ）に示すように前記方形スペースに対応する大きさの器具本体１１に、一対の照明部１２と、これら照明部１２間に設けられた設備設置部１３とを備えている。
【００１７】
器具本体１１は、前記方形スペースの一辺の長さに応じた長さを有する一対の本体フレーム１４と、これらフレーム１４に長手方向両端を連結して両本体フレーム１４にわたって配置された一対の照明部フレーム１５とを有している。図２（Ａ）（Ｂ）等に示すように両本体フレーム１４の長手方向両端部には、夫々段状の引掛け部１６が形成されているとともに、両本体フレーム１４の長手方向中央部には引掛け金具１７が夫々取付けられている。
【００１８】
図２（Ａ）（Ｂ）及び図３に示すように器具本体１１は、その引掛け部１６及び引掛け金具１７を、周り縁（Ｔバー）２、３の主部６に上方から引掛けるように載せるとともに、本体フレーム１４の長手方向両端部下縁１４ａを周り縁２の受け部７上に載せることによって、前記方形スペース内に取付けられている。
【００１９】
図２（Ａ）に示すように両照明部フレーム１５は、互いに平行で、かつ、本体フレーム１４の長手方向に離間して左右対称に設けられている。これらの照明部フレーム１５は、図３で代表して示すように天井壁１５ａと、これから折り曲げられた仕切り壁として機能する一側壁１５ｂと、この一側壁１５ｂと対向して天井壁１５ａから折り曲げられて例えば空調気流ガイド壁として機能する他側壁１５ｃとを有している。
【００２０】
両照明部フレーム１５は、その一側壁１５ｂを互いに対向させて両本体フレーム１４と組合わされていて、これら一側壁１５ｂ間に器具本体１１の幅方向中央部に位置する設備設置部１３を区画している。両一側壁１５ｂの下端部には、図３に代表して示すようにプレート受け部１８と、この受け部１８より上方に位置して制光体係止孔１９とが夫々設けられている。プレート受け部１８は、照明部１２の下端開口の縁部をなして、設備設置部１３の下端開口の幅を狭める方向に略水平に折り曲げられている。制光体係止孔１９は照明部１２の下端開口部に臨む位置に複数開口されている。
【００２１】
設備設置部１３にはその下端開口を閉じて設備プレート２０が配置されている。このプレート２０は、その幅方向両側縁をプレート受け部１８に夫々載せて支持されている。この設備プレート２０には、施工の仕様に応じて必要とされる図示しない設備機器、例えば、スピーカー、ダウンライト、スプリンクラー、煙センサ、温度過昇を検知する熱センサ等の内から選択された設備機器が取付けられるようになっている。
【００２２】
図３等に示すように両照明部フレーム１５の他側壁１５ｃは、周り縁２と干渉しないように本体フレーム１４の長手方向両端に対して中央部方向に寄せて形成されている。この他側壁１５ｃと周り縁２とは、相互間に空調気流を天井裏に吸い込むための風路２１を照明部１２に隣接して形成している。この風路２１の下端は室内に開口されている。なお、本発明において風路２１は省略することができる。両照明部フレーム１５の他側壁１５ｃの下端部には、図３に代表して示すように照明部１２の下端開口の縁部２２をなす部分と、縁部２２より上方に位置して制光体係止孔２３が複数設けられている。制光体係止孔２３は照明部１２の下端開口部に臨む位置に開口されている。
【００２３】
各照明部１２の夫々は、ランプ２５と、ランプソケット２６と、反射板２７と、制光体２８とを備えている。発光手段であるランプ２５には好ましい例として片口金型の蛍光ランプが使用されている。ランプ２５は、口金２５ａと、この口金２５ａに両端が取付けられたＵ字形バルブとを有している。Ｕ字形バルブの口金２５ａから折返し端までの夫々のバルブ部分２５ｂ、２５ｃは、互いに接近しかつ平行に設けられている。これらの部分２５ｂ、２５ｃは夫々発光部として機能する。
【００２４】
ランプソケット２６はランプ２５の口金２５ａを着脱可能に支持するものであって、例えば一方の本体フレーム１４の内側面にねじ止めされている。図２（Ｂ）及び図３中符号３１は、他方の本体フレーム１４に寄せて天井壁１５ａに取付けられたランプホルダを示している。ランプ２５は、その一端の口金２５ａがランプソケット２６に着脱可能に支持されるとともに、Ｕ字状に折り返された他端部がランプホルダ２６に着脱可能に支持されて、一対の本体フレーム１４間に渡るように略水平な姿勢で照明部１２に取付けられている。
【００２５】
反射板２７は、下方に開放するように断面略円弧状に曲げられているとともに、その長手方向の端部にランプソケット２６の逃げ部（図示しない）を有している。図２（Ｂ）及び図３に示すように反射板２７は、この反射板２７の幅方向中央部を通って上向きに螺合された化粧ねじ３３により、天井壁２１ａの下面に固定された複数のブラケット３２の夫々に取付けられている。
【００２６】
制光体２８は反射板２７の下方にランプ２５を覆って照明部１２に取外し可能に配置されている。この制光体２８はルーバ形のものである。詳しくは、制光体２８は、図３に示すように照明部１２の下面開口部より一回り小さな枠体３５と、この枠体３５内に配置された複数例えば２枚の制光プレート３６、３７と、これら制光プレート３６、３７と直交して格子状に組合わされた他の多数の制光プレート３８（図１及び図２（Ｂ）参照）とを備えている。各制光プレート３６〜３８の両端はいずれも枠体３５に接続されている。
【００２７】
図３に示すように制光体２８が照明部１２の下面開口部に配置された際に、前記一側壁１５ｂに接近して対向する枠体３５の一側枠部３５ａの複数個所には、フック状をなす固定金具４１が外向きに突設されている。同様に、制光体２８が照明部１２の下面開口部に配置された際に、前記他側壁１５ｃに接近して対向する枠体３５の他側枠部３５ｂの複数個所には可動金具４２が取付けられている。可動金具４２は、他側枠部３５ｂに固定された金具支え４３に支持された回動軸４４に固定されている。回動軸４４は他側枠部３５ｂの下側（室内側）からねじ回しで回動操作され、その回動に伴って可動金具４２が他側枠部３５ｂの外方に突没できるようになっている。
【００２８】
照明部１２への制光体２８の取付けは以下の手順で実施される。始めに、複数の固定金具４１を夫々制光体係止孔１９に挿通させて引掛ける。この後、制光体係止孔１９を中心に制光体２８を上向きに移動させてこの制光体２８を照明部１２の下面開口部に嵌め込む。最後に、この嵌め込み状態で可動金具４２を他側枠部３５ｂから突出させて、夫々制光体係止孔２３に挿通させて引掛ける。以上の手順で制光体２８が照明部１２に取付けられた状態は図３に示されている。この逆の手順で照明部１２から制光体２８を取外すことができる。
【００２９】
又、図３中符号４５は枠体３５を一回りして設けたモヘヤなどの光漏れ防止部材、符号４６は端子台、符号４７は点灯装置を夫々示している。
【００３０】
以上の取付けにより制光プレート３６、３７は、ランプ２５に最も近い位置で互いに隣接して、以下のように配置される。
【００３１】
詳しくは、制光プレート３６、３７は図１（Ｂ）に示すようにランプ２５の長手方向に沿って延びて設けられていて、図３に示すように互いに逆向きに同じ角度θ１傾けられている。この傾きにより、制光プレート３６、３７の上端縁（ランプ２５に近い側の縁）ｆｕ相互間の間隔Ａは、制光プレート３６、３７の下端縁（ランプ２５から遠い側の縁）ｆｄ相互間の間隔Ｂより短くなっている。この場合、制光プレート３６、３７の傾き角θ１は、前記両縁ｆｕ、ｆｄを結ぶ方向、言い換えれば、傾き方向の延長線上にバルブ部分２５ｂ又は２５ｃの中心（バルブ部中心）Ｃが略位置されるように設定されている。したがって、ランプ２５のバルブ部分２５ｂ、２５ｃの並び方向に一側面を対向して設けられた２枚の制光プレート３６、３７は、前記並び方向に沿う断面においてハの字状に配置されている。
【００３２】
しかも、制光プレート３６、３７の上端縁ｆｕは、バルブ部分２５ａ、２５ｂの最大離間幅Ｄ内に位置されている。なお、制光プレート３６、３７の下端縁ｆｄは、本実施形態の場合には前記最大離間幅Ｄから外れて位置されているが、これは最大離間幅Ｄ内に位置されるようにしてもよい。又、図２（Ｂ）及び図３に示すように各制光プレート３６〜３８は、いずれも３０°±１°の遮光角θ２を形成して設けられている。この遮光角θ２は、室内に設置された機器のディスプレイへのランプ２５の映り込みを抑制するのに有効である。
【００３３】
以上のように構成された照明器具４を点灯させた場合、ランプ２５の直下に配置された２枚の制光プレート３６、３７の両面は、共にランプ２５のバルブ部分２５ｂ、２５ｃの少なくとも一方からの直射光を受けるので、明るさに極端なさが出ることがない。以下、詳しく説明する。
【００３４】
まず、制光プレート３６、３７相互の対向側面３６ａ、３７ａへの光の射し込みを説明する。図３に示すようにランプ２５の一方のバルブ部分２５ｂは、一方の制光プレート３６の真上に位置しているとともに、他方の制光プレート３７に対しては左斜め上方向に対向して位置している。同様に、ランプ２５の他方のバルブ部分２５ｃは、他方の制光プレート３７の真上に位置しているとともに、一方の制光プレート３６に対しては右斜め上方向に対向して位置している。
【００３５】
こうした位置関係により、一方のバルブ部分２５ｂから放射されて前記上端縁ｆｕ間を通る直射光は、一方の制光プレート３６の対向側面３６ａには射し込みにくいが、斜め下位置の他方の制光プレート３７の対向側面３７ａには射し込む。同様に、他方のバルブ部分２５ｃから放射されて前記上端縁ｆｕ間を通る直射光は、斜め下位置の一方の制光プレート３６の対向側面３６ａには射し込むが、他方の制光プレート３７の対向側面３７ａには射し込みにくい。このように２枚の制光プレート３６、３７の互いに向い合った対向側面３６ａ、３７ａの夫々には、ランプ２５からの直射光が射し込む。
【００３６】
次に、制光プレート３６、３７相互の非対向側面３６ｂ、３７ｂへの光の射し込みを説明する。ランプ２５のバルブ部分２５ｂ、２５ｃに対する２枚の制光プレート３６、３７の既述の位置関係により、一方のバルブ部分２５ｂから放射されて前記上端縁ｆｕ間を通る直射光は、他方の制光プレート３７で遮られて、このプレート３７の非対向側面３７ｂには射し込まない。しかし、制光プレート３６、３７はその上端縁ｆｕが互いに近づくように傾けられていて、図３に示すように他方の制光プレート３７の非対向側面３７ｂが、その真上に接近しているバルブ部分２５ｃに対向しているので、非対向側面３７ｂにはバルブ部分２５ｃから下方に向かう直射光の一部が射し込む。同様に、他方のバルブ部分２５ｃから放射されて前記上端縁ｆｕ間を通る直射光は、一方の制光プレート３６で遮られて、このプレート３６の非対向側面３６ｂには射し込まない。しかし、制光プレート３６、３７はその上端縁ｆｕが互いに近づくように傾けられていて、図３に示すように一方の制光プレート３６の非対向側面３６ｂが、その真上に接近しているバルブ部分２５ｂに対向しているので、非対向側面３６ｂにはバルブ部分２５ｂから下方に向かう直射光の一部が射し込む。このように２枚の制光プレート３６、３７の互いに向い合わない非対向側面３６ｂ、３７ｂの夫々にも、ランプ２５からの直射光が射し込む。
【００３７】
以上のようにランプ２５のバルブ部分２５ｂ、２５ｃに最も近い２枚の制光プレート３６、３７の両面に、夫々ランプ２５からの直射光が夫々射し込むので、これら両面の明るさに極端な差が出ることがなくなって、制光体２８の明るさが不均一になることを抑制できる。したがって、照明器具４の体裁を向上できる。
【００３８】
更に、既述のようにバルブ部分２５ｂ、２５ｃに最も近い２枚の制光プレート３６、３７の上端縁ｆｕ間の間隔Ａが下端縁ｆｄ間の間隔Ｂより短くなるように両制光プレート３６、３７をハ字状に傾斜させたことにより、光を効率よく可能に出すことができる。即ち、図３中バルブ部分２５ｃと、この直下の制光プレート３７との関係で代表して説明する。
【００３９】
バルブ部分２５ｃから下方に放射された直射光は、制光体２８が備える枠体３５の壁部３５ｂと制光プレート３７との間を通過して室内を照明する。この場合、壁部３５ｂによって光が規制されることは従来と同じであるが、制光プレート３７が傾斜されていることにより、このプレート３７の上端縁ｆｕではなく下端縁ｆｄによって光が規制される。このため、壁部３５ｂと制光プレート３７との間を通る直射光の角度θ３を例えば４８°と大きくできる。なお、制光プレート３６、３７をその下端縁ｆｄから垂直に立てた以外は同じ条件である従来の照明器具における前記角度θ３は４６°であった。これにより、図４の配光特性図に示すように、特にランプ２５の長手方向と直交する方向への配光が広げられて、より広いエリヤを照明できる。ちなみに、図４中実線が本発明の配光曲線であり、点線が制光プレート３６、３７をその下端縁ｆｄから垂直に立てた以外は同じ条件である従来の照明器具の配光曲線である。
【００４０】
図５は本発明の第２実施形態を示している。この実施形態は基本的には第１実施形態と同じ構成であるので、同じ部分には第１実施形態と同じ符号を付して、その構成及び作用の説明を省略し、以下異なる部分について説明する。
【００４１】
第２実施形態では、互いに逆向きに傾斜してハ字状に配置された２枚の制光プレート３６、３７の上端縁ｆｕが、互いに平行な発光部である一対のバルブ部分２５ａ、２５ｂの最大離間幅Ｄから外れた位置、好ましくは図示のように前記幅Ｄの寸法引出し線を挟む位置に設けられている。このために、本実施形態では、制光プレート３６、３７の高さｈを短くしてあるが、これには制約されない。
【００４２】
以上説明した点以外の構成は、図５に示されない部分を含めて第１実施形態と同じである。このため、この第２実施形態においても、第１実施形態と同じ作用を得て、本発明の課題を解決でき、初期の効果を得ることができる。
【００４３】
その上、図示のように制光プレート３６、３７の高さｈを短くした構成においては、遮光角θ２は小さくなるが、より効率よく光を下方に出すことができる。即ち、図５中バルブ部分２５ｂから制光プレート３７と枠体３５の壁部３５ｂとの空間Ｓに放射された直射光の関係で代表して説明する。制光プレート３７が短い分、バルブ部分２５ｃの下方に大きく隔たっていて、前記空間Ｓに対する制光プレート３７の遮光が抑制される。このため、バルブ部分２５ｂの直射光を、図５中θ４で示す角度範囲で前記空間Ｓを通して室内に射し込ませて、室内に射し込む直射光を増加できる。なお、比較のために述べれば、第１実施形態の場合には、バルブ部分２５ｃから前記空間Ｓに入射した光は枠体３５の壁部３５ｂで反射されてしまい、室内への直射光とはならない。
【００４４】
なお、本発明は前記両実施形態には制約されない。例えば、本発明はシステム天井用の照明器具以外の天井埋め込み型照明器具、天井直付け形照明器具等にも適用可能である。又、一対の発光部間に他の発光部を配置することは妨げない。更に、照明器具の照明部が、前記実施形態のように複数ある場合、設備プレートをなくして、照明部を互いに隣接して設けてもよい。更に、本発明は照明部が単一の照明器具にも適用できる。
【００４５】
【発明の効果】請求項１から３の発明によれば、制光体のランプに最も近い位置で互いに隣接した２枚の制光プレートを、それらの対向側面だけではなく非対向側面にもランプの直射光が入射されるように互いに逆向きに傾けたので、制光プレートの両面の明るさの差が明確になることが抑制され、制光体の各部の明るさを均一化することが可能な照明器具を提供できる。
【図面の簡単な説明】
【図１】（Ａ）は本発明の第１実施形態に係るシステム天井用照明器具を下から見上げた状態で示す斜視図。（Ｂ）は図１（Ａ）の照明器具を示す正面図。
【図２】（Ａ）は図１の照明器具を一部切り欠いて示す側面図。（Ｂ）は図２（Ａ）中Ｆ２−Ｆ２線に沿う断面図。
【図３】図１の照明器具の照明部を拡大して示す断面図。
【図４】図１の照明器具の配光特性と従来の照明器具の配光特性とを比較して示す配光特性図。
【図５】本発明の第２実施形態に係るシステム天井用照明器具の照明部を拡大して示す断面図。
【符号の説明】
４…照明器具、１１…器具本体、１２…器具本体の照明部、２５…ランプ（発光手段）、２５ａ…口金、２５ｂ、２５ｃ…バルブ部分（発光部）、２６…ランプソケット、２８…制光体、３５…制光体の枠体、３６、３７…制光プレート、３６ａ、３７ａ…制光プレートの対向側面、３６ｂ、３７ｂ…制光プレートの非対向側面、ｆｕ…制光プレートの上端縁（発光部に近い側の縁）、ｆｄ…制光プレートの下端縁（発光部から遠い側の縁）、Ａ…縁ｆｕ相互間の間隔、Ｂ…縁ｆｄ相互間の間隔、Ｃ…バルブ中心、Ｄ…バルブ部分２５ｂ、２５ｃの最大離間間隔
【図１】
2004259548.tif 000003
【図２】
2004259548.tif 000004
【図３】
2004259548.tif 000005
【図４】
2004259548.tif 000006
【図５】
2004259548.tif 000007